(57)【特許請求の範囲】
【請求項１】
外槽を内包した外枠と、この外枠上部に固着した箱体と、ブッシングを介して前記枠体の背面に固着された電源コードと、前記箱体背面に形成され前記電源コードを引掛ける引掛け部とを具備し、前記箱体は背面において、下方に開放した凹形状を有する手掛け可能な舌部が左右方向に長く延設され、前記舌部の先端は、前記ブッシングの先端および前記引掛け部の後面より後方に位置するとともに、前記引掛け部の上端より上方に位置してなる洗濯機。
【請求項２】
外槽を内包した外枠と、この外枠上部に固着した箱体と、ブッシングを介して前記枠体の背面に固着された電源コードと、前記箱体背面に形成され前記電源コードを引掛ける引掛け部とを具備し、前記箱体は背面において、内部に複数の板部を内設し下方に開放した手掛け可能な略箱部が左右方向に長く形設され、前記略箱部の後面は、前記ブッシングの先端および前記引掛け部の後面より後方に位置するとともに、前記略箱部の天面は、前記引掛け部の上端より上方に位置してなる洗濯機。
【請求項３】
外槽を内包した外枠と、この外枠上部に固着した箱体と、ブッシングを介して前記枠体の背面に固着された電源コードと、前記箱体背面に形成され前記電源コードを引掛ける引掛け部とを具備し、前記箱体は背面において、手掛け可能な段差部が左右方向に長く延設され、前記段差部の背面は、前記ブッシングの先端および前記引掛け部の後面より後方に位置するとともに、前記段差部の天面は、前記引掛け部の上端より上方に位置し、前記段差部の背面と下面の少なくとも一方に複数の凸部を形設した洗濯機。
【発明の詳細な説明】
【０００１】
【発明の属する技術分野】
本発明は、機体の梱包、運搬および設置において、機体の損傷を防止するとともに作業性を向上させた洗濯機等の機器に関するものである。
【０００２】
【従来の技術】
従来、洗濯機等の機器においては、図８、図９に示すようなものが一般的であった。図８、図９より、１は外枠であって外槽２を内包し、外枠１の左右の両側面にはフック部３を設けている。４は箱体であって、外枠１上部に固着されるとともに内部に給水弁５、制御部６等を具備している。７は電源コードであって外枠１背面よりブッシング８を介して機体後方へと引き出されている。９は電源コード７の引掛け部であって長い電源コード７をまとめ、納めている。
【０００３】
上記構成について動作を説明すると、機体を出荷または移転等で梱包する場合、電源コード７を引掛け部９に掛けて、機体上部よりケース１０を覆いバンド（図示せず）で固定し荷扱いする。その後機体を設置する場合は、一般に、バンド（図示せず）を解きケース１０を開梱後、作業者が２人の時では各々フック部３に手を掛けて機体を運搬し、所定の場所に設置している。一方、作業者が１人の場合では外枠１の両側面に手を廻して、各々の手をフック部３に掛け、腰を屈めて中腰の状態で１人で機体を持ち上げて運搬し、設置していた。
【０００４】
この後、ここで機体後方を壁１１に着け、電源コード７を引掛け部８から外し、コンセント（図示せず）に差し込み一連の設置作業を終了していた。
【０００５】
【発明が解決しようとする課題】
しかし、このような従来の構成では、まず、機体を梱包する際にケース１０を機体上方から被せるのであるが、ケース１０の下端の縁を引掛け部９に引掛けてしまいケース１０または電源コード７を損傷させてしまう不具合を有していた。
【０００６】
また、大容量の衣類を洗ったり、または大容量の衣類を絞る機体は外槽２が比較的大きくなり、これにより外枠１も、サイズが大きく幅が広くなるため、機体を運搬する際には作業者が１人の場合において、外枠１の両側面に手を廻してもフック部３に各々の手を完全に掛けることができず、運搬できないことがあった。
【０００７】
さらに、機体を設置する際には、機体後方を壁１１際に着けるとブッシング８が壁１１に当接し、電源コード７に外力が加わって断線させてしまったり、壁に突起等があった時に機体を壁に当てた衝撃で箱体を破損してしまうことがあり不具合を生じていた。
【０００８】
本発明は上記課題を解決するもので、機体の梱包、運搬および設置において、機体の損傷を防止するとともに作業性を向上させることを目的としている。
【０００９】
【課題を解決するための手段】
本発明は上記目的を達成するために、外槽を内包した外枠と、この外枠上部に固着した箱体と、ブッシングを介して枠体の背面に固着された電源コードと、箱体背面に形成され電源コードを引掛ける引掛け部とを具備し、箱体は背面において、下方に開放した凹形状を有する手掛け可能な舌部が左右方向に長く延設され、前記舌部の先端はブッシングや引掛け部より後方に位置するとともに、引掛け部の上端より上方に位置してなるものである。これにより、機体梱包時の梱包材あるいは電源コードの損傷を防止し、機体運搬時にも１人で容易に機体を取扱うことができ、さらに設置の際でも電源コードの断線、損傷等を防止でき、衝撃による外箱の破損等を防止できるものである。
【００１０】
【発明の実施の形態】
本発明の請求項１に記載の発明は、外槽を内包した外枠と、この外枠上部に固着した箱体と、ブッシングを介して前記枠体の背面に固着された電源コードと、前記箱体背面に形成され前記電源コードを引掛ける引掛け部とを具備し、前記箱体は背面において、下方に開放した凹形状を有する手掛け可能な舌部が左右方向に長く延設され、前記舌部の先端は、前記ブッシングの先端および前記引掛け部の後面より後方に位置するとともに、前記引掛け部の上端より上方に位置してなるものであり、舌部は梱包時には梱包材を被せる際の案内となるため梱包材あるいは電源コードの損傷を防止し、機体運搬時にも舌部に手を掛けることにより腰を深く屈めることなく１人でも容易に機体を持ち上げることができ、また設置時に、舌部が壁に先当りすることにより電源コードの断線、損傷等を防止できるものであり、衝撃による外箱の破損等を防止できる。
【００１１】
本発明の請求項２に記載の発明は、外槽を内包した外枠と、この外枠上部に固着した箱体と、ブッシングを介して前記枠体の背面に固着された電源コードと、前記箱体背面に形成され前記電源コードを引掛ける引掛け部とを具備し、前記箱体は背面において、内部に複数の板部を内設し下方に開放した手掛け可能な略箱部が左右方向に長く形設され、前記略箱部の後面は、前記ブッシングの先端および前記引掛け部の後面より後方に位置するとともに、前記略箱部の天面は、前記引掛け部の上端より上方に位置してなるものであり、略箱部は梱包時には梱包材を被せる際の案内となるため梱包材あるいは電源コードの損傷を防止し、機体運搬時にはこの略箱部に手を掛けて機体を持ち上ることにより、手元がぐらつくことなく比較的長時間でも支障なく運搬でき、設置時は略箱部が壁に先当たりすることにより電源コードの断線、損傷等を防止できるとともに同時に機体後部の変形、破損等も防止できる。
【００１２】
本発明の請求項３に記載の発明は、外槽を内包した外枠と、この外枠上部に固着した箱体と、ブッシングを介して前記枠体の背面に固着された電源コードと、前記箱体背面に形成され前記電源コードを引掛ける引掛け部とを具備し、前記箱体は背面において、手掛け可能な段差部が左右方向に長く延設され、前記段差部の背面は、前記ブッシングの先端および前記引掛け部の後面より後方に位置するとともに、前記段差部の天面は、前記引掛け部の上端より上方に位置し、前記段差部の背面と下面の少なくとも一方に複数の凸部を形設したものであって、段差部は梱包時には梱包材を被せる際の案内となるため梱包材あるいは電源コードの損傷を防止し、また機体運搬時はこの段差部に手を掛けても背面と下面の少なくとも一方に複数の凸部を形設していることにより、摩擦力を高めて手の滑りを防止でき、設置時に段差部が壁に先当たりして電源コードの断線、損傷等を防止できる。
【００１３】
【実施例】
以下、本発明の実施例について、図面を参照しながら説明する。
【００１４】
（実施例１）
図１、図２に示すように、１２は外枠であり、内側には内槽１３を内包した外槽１４を吊り棒１５を介して上部角隅より垂下支持し、外側には左右各々側面にフック部１６を設けている。１７は電源コードであり、ブッシング１８を介して外枠１２背面に固着されている。１９は箱体であって、外枠１２上部にネジ２０により固着されるとともに、中央には内槽１３上部に位置すべく蓋２１を配設し、内部には制御部２２、給水弁２３等を収納している。２４は舌部であって、下方に開放して凹形状を有し、箱体１９背面に沿って左右のネジ２０の間に位置すべく一体的に形成されるとともに、左右方向の側面に向かって比較的長く延設されている。２５は引掛け部であって長い電源コード１７をまとめ、納めている。２６はケースであり、梱包材の主要部品であってダンボール製で下方に開口した形状を有している。
【００１５】
ここで舌部２４は、ブッシング１８先端の電源コード１７と外枠１２との距離Ａおよび引掛け部２５後部と外枠１２との距離Ｂに対して舌部２４と外枠１２との距離Ｃが大なるべく（Ａ＜Ｃ、Ｂ＜Ｃ）機体の最後端に位置している。また舌部２４は引掛け部２５に対して鉛直距離Ｄを有して引掛け部２５より上方に位置している。
【００１６】
以上の構成により、一般に蓋２１を開けて内槽１３に衣類を投入し、ユーザーが制御部２２のキー操作により動作設定をすると、制御部２２により給水弁２３、モータ（図示せず）等を制御して、内槽１３の内底部のパルセータ（図示せず）を駆動させて衣類を攪拌したり、内槽１３を回動させて衣類を脱水させる。
【００１７】
上記構成において、機体を梱包、運搬および設置する場合の動作を説明する。
【００１８】
まず、梱包は機体組立後後の出荷時、あるいは移転等で再梱包する際に行うが、長い電源コード１７を引掛け部２５にまとめて納め、ケース２６を上方より機体に被せた後、バンド（図示せず）で縛った状態で輸送、あるいは落下時の振動、衝撃より機体を保護する。
【００１９】
ここで舌部２４が機体最後端に位置していることにより、ケース２６を機体に被せる時に、ケース２６は下端の縁が舌部２４に先当たりして下方へと案内されるため、ケース２６を引掛け部２５に引掛けて機体またはケース２６を破損させたり、電源コード１７の断線、損傷等を防止できる。
【００２０】
次に機体を開梱後に機体を運搬する時、作業者が２人の場合は各々の作業者は左右各々のフック部１６に手を掛け、さらに各々の空いた手を舌部２４に掛けて機体を持ち上げ、所定の場所まで運搬する。このとき、舌部２４が左右方向の側面に向かって比較的長く設けられていることにより舌部２４に充分２人の手を掛けることができ、合計４点で支持し運搬するため作業も安定し迅速に行うことができる。
【００２１】
一方、作業者が１人の場合では、通常、作業者は機体前方から後方の舌部２４に両手を掛けて機体を前倒しにし、機体前面を腹部あるいは大腿部に当て機体を引き上げ移動させる。また、他の方法として、作業者は左右フック部１６のいずれか一方に手を掛けつつもう一方の空いた手を後方の舌部２４にかけて機体前面を腹部あるいは大腿部に当てて引き上げ移動させる。これらの場合、いずれも左右のフック部１６を手だけで抱え、腰を屈めて中腰の状態をとらず、重心を低くせずに運搬できるため、比較的幅の大きな機体でも、作業者の労力を軽減でき、容易かつ正確に作業を行うことができる。また、舌部２４が左右方向の側面に向かって比較的長く延設されているため、作業者の腕の長さによらず確実に舌部２４に手を掛けることができる。
【００２２】
また、所定の場所に設置する際は、機体後方を壁２７に着けるのだが、ブッシング１８が壁２７に接触する前に、舌部２４が壁２７に先当たりするため、機体後方に空間を形成し、これにより電源コード１７の折れ曲がり等による負荷を排除することができ、電源コード１７の断線、損傷等を防止できる。さらに設置の瞬間に壁２７等から機体背面に加わる衝撃は特に脆弱になりがちな外箱１９のネジ２０の固着ピッチ間では舌部２４の先当たりにより緩和され、機体外郭の破損を防止できる。
【００２３】
本発明は、舌部２４を箱体１９に設けているが、外枠１２に舌部２４を一体的に形成しても同様の効果が得られることは言うまでもない。
【００２４】
（実施例２）
図３、図４に示すように、箱体１９の背面において、２８は略箱部であって、左右方向に拡大しつつ複数の板部２９を内設し、天面２８ａは後方に傾斜しつつ下方に開放するとともに箱体１９背面に沿って左右のネジ２０の間に位置すべく一体的に形成されている。ここで略箱部２８は、ブッシング１８先端の電源コード１７と外枠１２との距離Ｅおよび引掛け部２５後部と外枠１２との距離Ｆに対して略箱部２８と外枠１２との距離Ｇが大なるべく（Ｅ＜Ｇ、Ｆ＜Ｇ）機体の最後端に位置している。また略箱部２８は引掛け部２５に対して鉛直距離Ｈを有して引掛け部２５の上方に位置している。他の構成は上記実施例１と同じである。
【００２５】
上記構成において作用を説明すると、まず、梱包時においては長い電源コード１７を引掛け部２５にまとめて納めた後、ケース２６を上方より機体に被せ、バンド（図示せず）で縛った状態で輸送するのであるが、ここで略箱部２８が機体最後端に位置していることにより、ケース２６を機体に被せる時に、ケース２６は下端の縁が略箱部２８の天面２８ａに先当たりして下方へと案内されるため、ケース２６を引掛け部２５に引掛けて機体またはケース２６を破損させたり、電源コード１７の断線、損傷等を防止できる。
【００２６】
次に、開梱後に機体を運搬する際は、作業者が２人または１人にしろ、箱体１９背面の略箱部２８に片方の手ないしは両手を掛け、上方に引き上げつつ機体を浮かせて移動させるのであるが、略箱部２８は板部２９により箱体１９における特に脆弱になりがちな背面の左右のネジ２０の固着ピッチ間に一体的に形成され、剛性を高めているため、略箱部２８は中央から両端のどこの箇所に手をかけても、大容量の比較的大きな機体でも機体自重による変形を防止でき、手元を安定させつつ比較的長時間でも継続して運搬作業を行うことができる。
【００２７】
また、所定の場所に機体を設置する際は、機体後方を壁２７に着けるのだが、ブッシング１８が壁２７に接触する前に、略箱部２４が壁２７に先当たりするため、機体後方に空間を形成し、これにより電源コード１７の折れ曲がり等による負荷を排除することができ、電源コード１７の断線、損傷等を防止できる。さらに設置の瞬間に壁２７から機体背面に加わる衝撃は特に脆弱になりがちな外箱１９のネジ２０の固着ピッチ間では略箱部２４の先当たりにより緩和され、外箱１９の破損を防止でき、内部の給水弁２３等の機能部品を確実に保護できる。
【００２８】
（実施例３）
図５、図６に示すように、箱体１９の背面において、３０は段差部であって、天面３０ａが傾斜して箱体１９の背面に一体的に形成されるとともに、左右方向の側面に向かって比較的長く延設されている３１は凸部であって段差部３０の背面に複数形設されている。ここで段差部３０は、ブッシング１８先端の電源コード１７と外枠１２との距離Ｉおよび引掛け部２５後部と外枠１２との距離Ｊに対して段差部３０と外枠１２との距離Ｋが大なるべく（Ｉ＜Ｋ、Ｊ＜Ｋ）機体の最後端に位置している。また段差部３０は引掛け部２５に対して鉛直距離Ｌを有して引掛け部２５の上方に位置している。
【００２９】
上記構成における作用としては、機体梱包時にケース２６を機体の上方から被せるのだが、段差部３０が機体の最後端に位置することによりケース２６は下端の縁が天面３０ａに先当たりして下方に案内されるため電源コード１７をまとめて納めている引掛け部２５に干渉せず、機体またはケース２６の損傷等を防止し、電源コード１７の断線、損傷等を防止できる。
【００３０】
機体を運搬する際は、作業者が箱体１９の背面に手を廻し段差部３０に手を掛けるのであるが、段差部３０の背面には複数の凸部３１を形設していることにより、持ち手の摩擦力を高めて運搬等の作業中の手の滑りを防止し、落下等の事故を防止できる。
【００３１】
また、所定の場所に設置する際は、機体後方を壁２７に着けるのだが、ブッシング１８が壁２７に接触する前に、段差部３０が壁２７に先当たりするため、機体後方に空間を形成し、これにより電源コード１７の折れ曲がり等による負荷を排除することができ、電源コード１７の断線、損傷等を防止できる。ここで、図７に示すように、段差部３０は下面に複数の凸部３１を形設したものでも同様の効果を得ることができるのは言うまでもない。
【００３２】
これらの本発明は洗濯機だけでなく、脱水機、食器洗い機、小型冷蔵庫等の全高が腰から胸のあたりの高さの機器であれば、同様の効果を得ることができることも言うまでもない。
【００３３】
【発明の効果】
以上述べた如く、本発明の請求項１に記載の発明によれば、外槽を内包した外枠と、この外枠上部に固着した箱体と、ブッシングを介して前記枠体の背面に固着された電源コードと、前記箱体背面に形成され前記電源コードを引掛ける引掛け部とを具備し、前記箱体は背面において、下方に開放した凹形状を有する手掛け可能な舌部が左右方向に長く延設され、前記舌部の先端は、前記ブッシングの先端および前記引掛け部の後面より後方に位置するとともに、前記引掛け部の上端より上方に位置したことにより、梱包時の梱包材あるいは電源コードの損傷を防止し、機体運搬時にも舌部に手を掛けることにより、中腰の無理な体勢をとらずとも比較的大きなサイズの機体を１人でも容易に持ち上げることができ、さらに設置時には、電源コードの引掛け部やブッシングが後方の壁に接触することなく、舌部が壁に先当りするため電源コードの断線、損傷を防止でき、同時に外箱の破損等を防止できる。
【００３４】
次に、請求項２に記載の発明によれば、外槽を内包した外枠と、この外枠上部に固着した箱体と、ブッシングを介して前記枠体の背面に固着された電源コードと、前記箱体背面に形成され前記電源コードを引掛ける引掛け部とを具備し、前記箱体は背面において、内部に複数の板部を内設し下方に開放した手掛け可能な略箱部が左右方向に長く形設され、前記略箱部の後面は、前記ブッシングの先端および前記引掛け部の後面より後方に位置するとともに、前記略箱部の天面は、前記引掛け部の上端より上方に位置したことにより、機体梱包時には梱包材あるいは電源コードの損傷を防止しでき、機体運搬時にはこの略箱部に手を掛けて運搬時の手元の安定性を確保しつつ比較的長時間でも支障なく運搬でき、さらに設置時は電源コードの引掛け部やブッシングが後方の壁に接触することなく、略箱部が壁に先当たりすることにより、電源コードの断線、損傷等を防止できるとともに同時に機体後部の変形、破損等も防止できる。
【００３５】
また、請求項３に記載の発明によれば、外槽を内包した外枠と、この外枠上部に固着した箱体と、ブッシングを介して前記枠体の背面に固着された電源コードと、前記箱体背面に形成され前記電源コードを引掛ける引掛け部とを具備し、前記箱体は背面において、手掛け可能な段差部が左右方向に長く延設され、前記段差部の背面は、前記ブッシングの先端および前記引掛け部の後面より後方に位置するとともに、前記段差部の天面は、前記引掛け部の上端より上方に位置し、前記段差部の背面と下面の少なくとも一方に複数の凸部を形設したことにより、作業者はこの段差部に手を掛けても背面または下面の複数の凸部に手が当設するため、手の滑りを防止し運搬時の落下等の事故を防止でき、機体の運搬を持続して円滑に行うことができ、設置時には電源コードの引掛け部やブッシングが後方の壁に接触することなく、段差部が壁に先当たりして電源コードの断線、損傷等を防止できる。
【図面の簡単な説明】
【図１】  本発明の第１の実施例における洗濯機の要部切り欠き断面図
【図２】  同洗濯機の包装動作時の斜視図
【図３】  本発明の第２の実施例における洗濯機の要部切り欠き断面図
【図４】  同洗濯機等の包装動作時の斜視図
【図５】  本発明の第３の実施例における洗濯機の要部切り欠き断面図
【図６】  同洗濯機の包装動作時の斜視図
【図７】  本発明の第３の実施例における他の洗濯の要部切り欠き断面図
【図８】  従来の同洗濯機の要部切り欠き断面図
【図９】  同洗濯機の包装動作時の斜視図
【符号の説明】
１２  外枠
１４  外槽
１６  フック部
１７  電源コード
１８  ブッシング
１９  箱体
２４  舌部
２５  引掛け部
２６  ケース
２８  略箱部
３０  段差部
【図１】
0003799735.tif 000002
【図２】
0003799735.tif 000003
【図３】
0003799735.tif 000004
【図４】
0003799735.tif 000005
【図５】
0003799735.tif 000006
【図６】
0003799735.tif 000007
【図７】
0003799735.tif 000008
【図８】
0003799735.tif 000009
【図９】
0003799735.tif 000010